(57)【要約】  本発明は、ルーティング情報転送方法、装置、プログラム及び記録媒体に関し、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした。上記方法は、稼動された後にアクセスポイントモードで無線接続機能を起動させるステップと、アクセスポイントとしてその他のデバイスと無線接続を構築するステップと、無線接続を介して上記その他のデバイスが送信したルーティング情報を受信するステップと、無線接続機能をアクセスポイントモードから端末モードに切り替えるステップと、端末としてルータにルーティング情報を送信して、上記ルータと接続を構築するステップとを含む。【選択図】図１
2018509009.tif 000002
【特許請求の範囲】
【請求項１】
稼動された後にアクセスポイントモードで無線接続機能を起動させるステップと、
アクセスポイントとしてその他のデバイスと無線接続を構築するステップと、
無線接続を介して上記その他のデバイスが送信したルーティング情報を受信するステップと、
無線接続機能をアクセスポイントモードから端末モードに切り替えるステップと、
端末としてルータにルーティング情報を送信して、上記ルータと接続を構築するステップと、を含むことを特徴とするルーティング情報転送方法。
【請求項２】
上記ルーティング情報は、暗号化された後のルーティング情報であり、
上記方法は、
予め設定された秘密鍵に基づいて、受信した上記ルーティング情報を復号化して、復号化された後のルーティング情報を得るステップをさらに含み、
上記端末としてルータにルーティング情報を送信するステップは、
端末としてルータに復号化された後のルーティング情報を送信するステップを含むことを特徴とする請求項１に記載のルーティング情報転送方法。
【請求項３】
アクセスポイントとしてその他のデバイスと無線接続を構築する前に、自身のデバイス識別子をブロードキャストするステップをさらに含むことを特徴とする請求項１に記載のルーティング情報転送方法。
【請求項４】
上記ルーティング情報は、サービスセット識別子及びパスワードを含むことを特徴とする請求項１に記載のルーティング情報転送方法。
【請求項５】
アクセスポイントモードのスマートデバイスとの無線接続を構築するステップと、
上記スマートデバイスにルーティング情報を送信して、上記スマートデバイスが上記ルーティング情報に基づいてルータと接続を構築するようにするステップと、を含むことを特徴とするルーティング情報転送方法。
【請求項６】
アクセスポイントモードのスマートデバイスとの無線接続を構築するステップの前に、上記スマートデバイスがブロードキャストしたデバイス識別子を受信するステップと、
サーバに上記デバイス識別子を送信するステップと、
サーバが送信した上記デバイス識別子に対応される秘密鍵を受信するステップと、
受信した上記秘密鍵に基づいてルーティング情報を暗号化して、暗号化された後のルーティング情報を得るステップと、をさらに含み、
上記スマートデバイスにルーティング情報を送信するステップは、
上記スマートデバイスに暗号化された後のルーティング情報を送信するステップを含むことを特徴とする請求項５に記載のルーティング情報転送方法。
【請求項７】
上記ルーティング情報は、サービスセット識別子及びパスワードを含むことを特徴とする請求項５に記載のルーティング情報転送方法。
【請求項８】
稼動された後にアクセスポイントモードで無線接続機能を起動させる起動モジュールと、
アクセスポイントとしてその他のデバイスと無線接続を構築する構築モジュールと、
無線接続を介して上記その他のデバイスが送信したルーティング情報を受信する受信モジュールと、
無線接続機能をアクセスポイントモードから端末モードに切り替える切替モジュールと、
端末としてルータにルーティング情報を送信して、上記ルータと接続を構築する送信モジュールと、を備えることを特徴とするルーティング情報転送装置。
【請求項９】
上記ルーティング情報は、暗号化された後のルーティング情報であり、
上記装置は、
予め設定された秘密鍵に基づいて、受信した上記ルーティング情報を復号化して、復号化された後のルーティング情報を得る復号化モジュールをさらに備え、
上記送信モジュールは、
端末としてルータに復号化された後のルーティング情報を送信する送信サブモジュールを備えることを特徴とする請求項８に記載のルーティング情報転送装置。
【請求項１０】
アクセスポイントとしてその他のデバイスと無線接続を構築する前に、自身のデバイス識別子をブロードキャストするブロードキャストモジュールをさらに備えることを特徴とする請求項８に記載のルーティング情報転送装置。
【請求項１１】
アクセスポイントモードのスマートデバイスとの無線接続を構築する構築モジュールと、
上記スマートデバイスにルーティング情報を送信して、上記スマートデバイスが上記ルーティング情報に基づいてルータと接続を構築するようにする第１送信モジュールと、を備えることを特徴とするルーティング情報転送装置。
【請求項１２】
アクセスポイントモードのスマートデバイスとの無線接続を構築する前に、上記スマートデバイスがブロードキャストしたデバイス識別子を受信する第１受信モジュールと、
サーバに上記デバイス識別子を送信する第２送信モジュールと、
サーバが送信した上記デバイス識別子に対応される秘密鍵を受信する第２受信モジュールと、
受信した上記秘密鍵に基づいてルーティング情報を暗号化して、暗号化された後のルーティング情報を得る暗号化モジュールと、をさらに備え、
上記第１送信モジュールは、
上記スマートデバイスに暗号化された後のルーティング情報を送信する送信サブモジュールを備えることを特徴とする請求項１１に記載のルーティング情報転送装置。
【請求項１３】
プロセッサと、
上記プロセッサが実行可能な命令を記憶するためのメモリと、を備え、
上記プロセッサは、
稼動された後にアクセスポイントモードで無線接続機能を起動させ、
アクセスポイントとしてその他のデバイスと無線接続を構築し、
無線接続を介して上記その他のデバイスが送信したルーティング情報を受信し、
無線接続機能をアクセスポイントモードから端末モードに切り替え、
端末としてルータにルーティング情報を送信して、上記ルータと接続を構築する
ように構成されることを特徴とするルーティング情報転送装置。
【請求項１４】
プロセッサと、
上記プロセッサが実行可能な命令を記憶するためのメモリと、を備え、
上記プロセッサは、
アクセスポイントモードのスマートデバイスとの無線接続を構築し、
上記スマートデバイスにルーティング情報を送信して、上記スマートデバイスが上記ルーティング情報に基づいてルータと接続を構築するようにする
ように構成されることを特徴とするルーティング情報転送装置。
【発明の詳細な説明】
【技術分野】
【０００１】
本願は、出願番号がＣＮ２０１５１０９３７７７５.６であって、出願日が２０１５年１２月１５日である中国特許出願に基づいて優先権を主張し、当該中国特許出願のすべての内容を援用する。
【０００２】
本発明は、通信及びコンピュータ処理分野に関し、特に、ルーティング情報転送方法及び装置に関する。
【背景技術】
【０００３】
電子技術の発展に伴い、テレビ、コンピュータ、エアコン、等の様々な電子デバイスが延々と開発されて出でいる。さらに、インタネットが開発された後、様々な家電はますますスマート化されている。これら家電を、スマートデバイスと呼ぶ。スマートデバイスは、ルータと接続されて、ルータを介してインタネットにアクセスする必要がある。
【発明の概要】
【０００４】
本発明は、関連技術に存在する問題を解決するために、ルーティング情報転送方法及び装置を提供する。
【０００５】
本発明の実施例に係る第１の態様によると、ルーティング情報転送方法を提供する。
【０００６】
上記方法は、
稼動された後にアクセスポイントモードで無線接続機能を起動させるステップと、
アクセスポイントとしてその他のデバイスと無線接続を構築するステップと、
無線接続を介して上記その他のデバイスが送信したルーティング情報を受信するステップと、
無線接続機能をアクセスポイントモードから端末モードに切り替えるステップと、
端末としてルータにルーティング情報を送信して、上記ルータと接続を構築するステップとを含む。
【０００７】
本発明の実施例によって提供する構成の有益な効果は以下のとおりである。アクセスポイントモードでその他のデバイスと無線接続を構築してから、その他のデバイスを通じてルーティング情報を取得し、ルーティング情報に基づいてルータに接続することにより、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした。
【０００８】
上記ルーティング情報は、暗号化された後のルーティング情報であり、
上記方法は、
予め設定された秘密鍵に基づいて、受信した上記ルーティング情報を復号化して、復号化された後のルーティング情報を得るステップをさらに含み、
上記端末としてルータにルーティング情報を送信するステップは、
端末としてルータに復号化された後のルーティング情報を送信するステップを含む。
【０００９】
本発明の実施例によって提供する構成の有益な効果は以下のとおりである。ルーティング情報を暗号化して、スマートデバイスをルータに接続する際に、スマートデバイスにおいて予め設定された秘密鍵に基づいて暗号化されたルーティング情報を復号化して、復号化された後のルーティング情報に基づいてルータに接続することにより、許可されたスマートデバイスのみルータに接続できて、ルータのルーティング情報のセキュリティを改善した。
【００１０】
上記方法は、
アクセスポイントとしてその他のデバイスと無線接続を構築する前に、自身のデバイス識別子をブロードキャストするステップをさらに含む。
【００１１】
本発明の実施例によって提供する構成の有益な効果は以下のとおりである。スマートデバイスにより自身のデバイス識別子をブロードキャストして、その他のデバイスが自身を発見するようにして、その他のデバイスと無線接続を構築することにより、ユーザがその他のデバイスを利用してスマートデバイスを接続する際のその他のデバイスを利用してスマートデバイスを発見するための手動操作を減らして、スマートデバイスに対してルータとの無線接続を構築する際のユーザの操作回数をさらに減らした。
【００１２】
上記ルーティング情報は、サービスセット識別子及びパスワードを含む。
【００１３】
本発明の実施例によって提供する構成の有益な効果は以下のとおりである。ルーティング情報はサービスセット識別子及びパスワードを含み、スマートデバイスがルーティング情報を取得した後に、ルーティング情報に基づいてルータに接続できるようになって、スマートデバイスをルータに自動的に接続させる目的を実現して、スマートデバイスに対してルータとの無線接続を構築する際のユーザの操作回数を減らした。
【００１４】
本発明の実施例に係る第２の態様によると、ルーティング情報転送方法を提供する。
【００１５】
上記方法は、
アクセスポイントモードのスマートデバイスとの無線接続を構築するステップと、
上記スマートデバイスにルーティング情報を送信して、上記スマートデバイスが上記ルーティング情報に基づいてルータと接続を構築するようにするステップと、を含む。
【００１６】
本発明の実施例によって提供する構成の有益な効果は以下のとおりである。アクセスポイントモードのスマートデバイスと無線接続を構築し、ルーティング情報をスマートデバイスに送信して、スマートデバイスがルーティング情報に基づいてルータと無線接続を構築するようにして、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした。
【００１７】
上記方法は、
アクセスポイントモードのスマートデバイスとの無線接続を構築するステップの前に、上記スマートデバイスがブロードキャストしたデバイス識別子を受信するステップと、
サーバに上記デバイス識別子を送信するステップと、
サーバが送信した上記デバイス識別子に対応される秘密鍵を受信するステップと、
受信した上記秘密鍵に基づいてルーティング情報を暗号化して、暗号化された後のルーティング情報を得るステップと、をさらに含み、
上記スマートデバイスにルーティング情報を送信するステップは、
上記スマートデバイスに暗号化された後のルーティング情報を送信するステップを含む。
【００１８】
本発明の実施例によって提供する構成の有益な効果は以下のとおりである。スマートデバイスがブロードキャストしたデバイス識別子に基づいて、スマートデバイスに対応される秘密鍵を取得して、スマートデバイスにルーティング情報を送信する前に秘密鍵に基づいてルーティング情報を暗号化することにより、スマートデバイスが取得したルーティング情報を上記スマートデバイス自身のみによって復号化できるようにして、ルーティング情報のセキュリティを保証して、スマートデバイスをルータに無線接続させる時のセキュリティを改善した。
【００１９】
上記ルーティング情報は、サービスセット識別子及びパスワードを含む。
【００２０】
本発明の実施例によって提供する構成の有益な効果は以下のとおりである。ルーティング情報はサービスセット識別子及びパスワードを含み、スマートデバイスにルーティング情報を送信した後に、スマートデバイスがルーティング情報に基づいてルータに接続するようにして、スマートデバイスをルータに自動的に接続させる目的を実現して、スマートデバイスに対してルータとの無線接続を構築する際のユーザの操作回数を減らした。
【００２１】
本発明の実施例に係る第３の態様によると、ルーティング情報転送装置を提供する。
【００２２】
上記装置は、
稼動された後にアクセスポイントモードで無線接続機能を起動させる起動モジュールと、
アクセスポイントとしてその他のデバイスと無線接続を構築する構築モジュールと、
無線接続を介して上記その他のデバイスが送信したルーティング情報を受信する受信モジュールと、
無線接続機能をアクセスポイントモードから端末モードに切り替える切替モジュールと、
端末としてルータにルーティング情報を送信して、上記ルータと接続を構築する送信モジュールと、を備える。
【００２３】
上記ルーティング情報は、暗号化された後のルーティング情報であり、
上記装置は、
予め設定された秘密鍵に基づいて、受信した上記ルーティング情報を復号化して、復号化された後のルーティング情報を得る復号化モジュールをさらに備え、
上記送信モジュールは、
端末としてルータに復号化された後のルーティング情報を送信する送信サブモジュールを備える。
【００２４】
上記装置は、
アクセスポイントとしてその他のデバイスと無線接続を構築する前に、自身のデバイス識別子をブロードキャストするブロードキャストモジュールをさらに備える。
【００２５】
本発明の実施例に係る第４の態様によると、ルーティング情報転送装置を提供する。
【００２６】
上記装置は、
アクセスポイントモードのスマートデバイスとの無線接続を構築する構築モジュールと、
上記スマートデバイスにルーティング情報を送信して、上記スマートデバイスが上記ルーティング情報に基づいてルータと接続を構築するようにする第１送信モジュールと、を備える。
【００２７】
上記装置は、
アクセスポイントモードのスマートデバイスとの無線接続を構築する前に、上記スマートデバイスがブロードキャストしたデバイス識別子を受信する第１受信モジュールと、
サーバに上記デバイス識別子を送信する第２送信モジュールと、
サーバが送信した上記デバイス識別子に対応される秘密鍵を受信する第２受信モジュールと、
受信した上記秘密鍵に基づいてルーティング情報を暗号化して、暗号化された後のルーティング情報を得る暗号化モジュールと、をさらに備え、
上記第１送信モジュールは、
上記スマートデバイスに暗号化された後のルーティング情報を送信する送信サブモジュールを備える。
【００２８】
本発明の実施例に係る第５の態様によると、ルーティング情報転送装置を提供する。
【００２９】
上記装置は、
プロセッサと、
上記プロセッサが実行可能な命令を記憶するためのメモリと、を備え、
上記プロセッサは、
稼動された後にアクセスポイントモードで無線接続機能を起動させ、
アクセスポイントとしてその他のデバイスと無線接続を構築し、
無線接続を介して上記その他のデバイスが送信したルーティング情報を受信し、
無線接続機能をアクセスポイントモードから端末モードに切り替え、
端末としてルータにルーティング情報を送信して、上記ルータと接続を構築する
ように構成される。
【００３０】
本発明の実施例に係る第６の態様によると、ルーティング情報転送装置を提供する。
【００３１】
上記装置は、
プロセッサと、
上記プロセッサが実行可能な命令を記憶するためのメモリと、を備え、
上記プロセッサは、
アクセスポイントモードのスマートデバイスとの無線接続を構築し、
上記スマートデバイスにルーティング情報を送信して、上記スマートデバイスが上記ルーティング情報に基づいてルータと接続を構築するようにする
ように構成される。
【００３２】
以上の統括な記述と以下の細部記述は、ただ例示的なものであり、本発明を制限するものではないと、理解するべきである。
【図面の簡単な説明】
【００３３】
ここでの図面は、明細書に合併されて本明細書の一部を構成して本発明に合致する実施例を示し、明細書とともに本発明の原理の説明に用いられる。
【００３４】
【図１】例示的な一実施例に係るルーティング情報転送方法を示すフローチャートである。
【図２】例示的な一実施例に係るルーティング情報転送方法を示す詳細のフローチャートである。
【図３】例示的な一実施例に係るルーティング情報転送方法を示すフローチャートである。
【図４】例示的な一実施例に係るルーティング情報転送方法を示す詳細のフローチャートである。
【図５】例示的な一実施例に係るルーティング情報転送方法を示す詳細のフローチャートである。
【図６】例示的な一実施例に係るルーティング情報転送装置を示すブロック図である。
【図７】例示的な一実施例に係るルーティング情報転送装置を示すブロック図である。
【図８】例示的な一実施例に係るルーティング情報転送装置を示すブロック図である。
【図９】例示的な一実施例に係るルーティング情報転送装置を示すブロック図である。
【図１０】例示的な一実施例に係るルーティング情報転送装置を示すブロック図である。
【図１１】例示的な一実施例に係るルーティング情報転送装置を示すブロック図である。
【発明を実施するための形態】
【００３５】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表するものではない。逆に、それらは、添付の特許請求の範囲において詳細に記述された、本発明のいくつかの態様と合致する装置、及び方法の例に過ぎない。
【００３６】
本発明の実施例は、ルーティング情報転送方法を提供する。本発明の実施例は、スマートデバイス及びその他のデバイスを含む。スマートデバイスは、スマートエアコン、スマート空気清浄機、スマート電灯、等のような、ユーザによりルーティング情報を直接に入力して、ルーティング情報に基づいてルータとの無線接続を構築できないデバイスである。その他のデバイスは、携帯電話、タブレットＰＣ、等のような、ユーザによりルータ情報を直接に入力して、ルーティング情報に基づいてルータとの無線接続を構築できるデバイスであるか、或いは、既にルータと接続を構築したスマートデバイスである。本発明の実施例によって提供するルーティング情報転送方法によると、スマートデバイスがルータと無線接続を自動的に構築するようにして、ユーザが携帯電話、タブレットＰＣ、等のデバイス中のＡＰＰを利用してスマートデバイスを制御してルータとの無線接続を構築する必要がなくなった。
【００３７】
図１は、例示的な一実施例に係るルーティング情報転送方法を示すフローチャートである。図１に示したように、上記方法は、スマートデバイスによって実現される。上記方法は、以下のステップを含む。
【００３８】
ステップＳ１１において、稼動された後にアクセスポイントモードで無線接続機能を起動させる。
【００３９】
ステップＳ１２において、アクセスポイントとしてその他のデバイスと無線接続を構築する。
【００４０】
ステップＳ１３において、無線接続を介してその他のデバイスが送信したルーティング情報を受信する。
【００４１】
ステップＳ１４において、無線接続機能をアクセスポイントモードから端末モードに切り替える。
【００４２】
ステップＳ１５において、端末としてルータにルーティング情報を送信して、ルータとの接続を構築するようにする。
【００４３】
本発明の実施例は、ルーティング情報転送方法を提供する。アクセスポイントモードでその他のデバイスと無線接続を構築してから、その他のデバイスを通じてルーティング情報を取得し、ルーティング情報に基づいてルータに接続することにより、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした。
【００４４】
一実施例において、ルーティング情報は、暗号化された後のルーティング情報である。
【００４５】
上記方法は、また、ステップＡ１によって実施されてもよい。
【００４６】
ステップＡ１において、予め設定された秘密鍵に基づいて、受信したルーティング情報を復号化して、復号化された後のルーティング情報を得る。
【００４７】
ステップＳ１５は、また、ステップＡ２によって実施されてもよい。
【００４８】
ステップＡ２において、端末としてルータに復号化された後のルーティング情報を送信する。
【００４９】
上記の方法を採用すると、ルーティング情報を暗号化して、スマートデバイスをルータに接続する際に、スマートデバイスにおいて予め設定された秘密鍵に基づいて暗号化されたルーティング情報を復号化して、復号化された後のルーティング情報に基づいてルータに接続することにより、許可されたスマートデバイスのみルータに接続できて、ルータのルーティング情報のセキュリティを改善した。
【００５０】
一実施例において、上記方法、また、ステップＢ１によって実施されてもよい。
【００５１】
ステップＢ１において、アクセスポイントとしてその他のデバイスと無線接続を構築する前に、自身のデバイス識別子をブロードキャストする。
【００５２】
上記の方法を採用すると、スマートデバイスにより自身のデバイス識別子をブロードキャストして、その他のデバイスが自身を発見するようにして、その他のデバイスと無線接続を構築することにより、ユーザがその他のデバイスを利用してスマートデバイスを接続する際のその他のデバイスを利用してスマートデバイスを発見するための手動操作を減らして、スマートデバイスに対してルータとの無線接続を構築する際のユーザの操作回数をさらに減らした。
【００５３】
一実施例において、ルーティング情報は、サービスセット識別子及びパスワードを含む。
【００５４】
上記の方法を採用すると、ルーティング情報はサービスセット識別子及びパスワードを含み、スマートデバイスがルーティング情報を取得した後に、ルーティング情報に基づいてルータに接続できるようになって、スマートデバイスをルータに自動的に接続させる目的を実現して、スマートデバイスに対してルータとの無線接続を構築する際のユーザの操作回数を減らした。
【００５５】
図１の実施例において、本発明の実施例によって提供するルーティング情報転送方法を簡単に説明した。以下、その他の実施例によって、本発明の実施例がルーティング情報転送方法をどのように実現するかを、具体的に説明する。
【００５６】
図２に示したように、本発明の実施例は、ルーティング情報転送方法を提供する。上記方法は、スマートデバイス側に応用される。スマートデバイスは、スマートカメラであり、その他のデバイスは、携帯電話である。具体的なステップは、以下のとおりである。
【００５７】
ステップＳ２１において、稼動された後にアクセスポイントモードで無線接続機能を起動させる。
【００５８】
例えば、スマートカメラは、稼動された後に、受信ポイントモードで無線接続機能を起動させる。即ち、スマートカメラ自身を一つのルータとすると、その他のデバイスはスマートカメラを発見して当該スマートカメラとの無線接続を構築できる。
【００５９】
ステップＳ２２において、自身のデバイス識別子をブロードキャストする。
【００６０】
例えば、スマートカメラがブロードキャストした自身のデバイス識別子は、Ｘ１である。
【００６１】
ステップＳ２３において、アクセスポイントとしてその他のデバイスと無線接続を構築する。
【００６２】
例えば、携帯電話は、スマートカメラがブロードキャストした自身のデバイス識別子Ｘ１に基づいて、スマートカメラとの無線接続を構築する。
【００６３】
ステップＳ２４において、無線接続を介してその他のデバイスが送信した暗号化された後のルーティング情報を受信する。ルーティング情報は、サービスセット識別子及びパスワードを含む。
【００６４】
例えば、スマートカメラは、携帯電話との無線接続を構築した後に、携帯電話が送信した暗号化された後のルータのサービスセット識別子及びパスワードを受信することになる。即ち、暗号化された後のユーザのユーザ名及びパスワードを受信する。
【００６５】
ステップＳ２５において、予め設定された秘密鍵に基づいて、受信した暗号化された後のルーティング情報を復号化して、復号化された後のルーティング情報を得る。
【００６６】
例えば、スマートカメラは、出荷する前にスマートカメラ内に予め設定された秘密鍵を利用して、受信した暗号化された後のルータのユーザ名及びパスワードを復号化して、復号化された後のルータのユーザ名及びパスワードをえる。
【００６７】
ステップＳ２６において、無線接続機能をアクセスポイントモードから端末モードに切り替える。
【００６８】
例えば、スマートカメラは、復号化された後のルータのユーザ名及びパスワードを得た後に、現在の動作モードを受信ポイントモードから端末モードに切り替える。スマートカメラは、端末モードにおいて、端末デバイスとしてルータと無線接続を構築する。
【００６９】
ステップＳ２７において、端末としてルータに復号化された後のルーティング情報を送信して、ルータとの接続を構築する。
【００７０】
例えば、スマートカメラは、端末デバイスとして、ルータに復号化された後のルータのユーザ名及びパスワードを送信し、ルータは、スマートカメラが送信した復号化された後のルータのユーザ名及びパスワードに基づいて、スマートカメラの無線接続を構築しようとする要請を許可するか否かを特定する。ルータは、スマートカメラが送信した復号化された後のルータのユーザ名及びパスワードが正しいと、スマートカメラとの無線接続を構築する。
【００７１】
本発明の実施例は、ルーティング情報転送方法を提供する。アクセスポイントモードでその他のデバイスと無線接続を構築してから、その他のデバイスを通じて暗号化された後のルーティング情報を取得し、予め設定された秘密鍵を利用して暗号化されたルーティング情報を復号化して、ルーティング情報に基づいてルータに接続することにより、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした上で、ユーザ情報に対して復号化を行うため、ルータによって提供する無線接続ネットワークをもっと安全にした。
【００７２】
上記の実施例は、本発明の実施例によって提供するルーティング情報転送方法を、スマートデバイス側で実施する過程を説明した。以下の実施例によって、本発明の実施例によって提供するルーティング情報転送方法を、その他のデバイス側で実施する過程を、さらに説明する。
【００７３】
図３は、例示的な一実施例に係るルーティング情報転送方法を示すフローチャートである。図３に示したように、上記方法は、その他のデバイスによって実現される。上記方法は、以下のステップを含む。
【００７４】
ステップＳ３１において、アクセスポイントモードのスマートデバイスとの無線接続を構築する。
【００７５】
ステップＳ３２において、スマートデバイスにルーティング情報を送信して、スマートデバイスがルーティング情報に基づいてルータと接続を構築するようにする。
【００７６】
本発明の実施例は、ルーティング情報転送方法を提供する。アクセスポイントモードのスマートデバイスと無線接続を構築し、ルーティング情報をスマートデバイスに送信して、スマートデバイスがルーティング情報に基づいてルータと無線接続を構築するようにして、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした。
【００７７】
一実施例において、上記方法は、また、ステップＣ１〜ステップＣ４によって実施されてもよい。
【００７８】
ステップＣ１において、アクセスポイントモードのスマートデバイスとの無線接続を構築するステップの前に、スマートデバイスがブロードキャストしたデバイス識別子を受信する。
【００７９】
ステップＣ２において、サーバにデバイス識別子を送信する。
【００８０】
ステップＣ３において、サーバが送信したデバイス識別子に対応される秘密鍵を受信する。
【００８１】
ステップＣ４において、受信した秘密鍵に基づいてルーティング情報を暗号化して、暗号化された後のルーティング情報を得る。
【００８２】
ステップＳ３２は、また、ステップＣ５によって実施されてもよい。
【００８３】
ステップＣ５において、スマートデバイスに暗号化された後のルーティング情報を送信する。
【００８４】
上記の方法を採用すると、スマートデバイスがブロードキャストしたデバイス識別子に基づいて、スマートデバイスに対応される秘密鍵を取得して、スマートデバイスにルーティング情報を送信する前に秘密鍵に基づいてルーティング情報を暗号化することにより、スマートデバイスが取得したルーティング情報を上記スマートデバイス自身のみによって復号化できるようにして、ルーティング情報のセキュリティを保証して、スマートデバイスをルータに無線接続させる時のセキュリティを改善した。
【００８５】
一実施例において、ルーティング情報は、サービスセット識別子及びパスワードを含む。
【００８６】
上記の方法を採用すると、ルーティング情報はサービスセット識別子及びパスワードを含み、スマートデバイスにルーティング情報を送信した後に、スマートデバイスがルーティング情報に基づいてルータに接続するようにして、スマートデバイスをルータに自動的に接続させる目的を実現して、スマートデバイスに対してルータとの無線接続を構築する際のユーザの操作回数を減らした。
【００８７】
図３の実施例において、本発明の実施例によって提供するルーティング情報転送方法を、簡単に説明した。以下、その他の実施例によって、本発明の実施例がルーティング情報転送方法をどのように実現するかを、具体的に説明する。
【００８８】
図４に示したように、本発明の実施例は、ルーティング情報転送方法を提供する。当該方法は、その他のデバイス側に応用される。スマートデバイスは、スマートカメラであり、その他のデバイスは、携帯電話である。具体的なステップは、以下のとおりである。
【００８９】
ステップＳ４１において、スマートデバイスがブロードキャストしたデバイス識別子を受信する。
【００９０】
例えば、携帯電話は、スマートカメラがブロードキャストしたデバイス識別子Ｘ１を受信する。
【００９１】
ステップＳ４２において、サーバにデバイス識別子を送信する。
【００９２】
例えば、携帯電話は、受信したスマートカメラのデバイス識別子Ｘ１をサーバに送信する。
【００９３】
ステップＳ４３において、サーバが送信したデバイス識別子に対応される秘密鍵を受信する。
【００９４】
例えば、サーバによりスマートカメラのデバイス識別子Ｘ１に基づいて検索したスマートカメラのデバイス識別子Ｘ１に対応される秘密鍵を受信する。
【００９５】
ステップＳ４４において、受信した秘密鍵に基づいて、サービスセット識別子及びパスワードを含むルーティング情報を暗号化して、暗号化された後のルーティング情報を得る。
【００９６】
例えば、携帯電話は、受信したスマートカメラのデバイス識別子Ｘ１に対応される秘密鍵に基づいて、ルータのサービスセット識別子及びパスワードを暗号化して、暗号化された後のサービスセット識別子及びパスワードを得る。即ち、秘密鍵に基づいて携帯電話に保存された全てのルータのユーザ名及びパスワードを暗号化する。
【００９７】
ステップＳ４５において、アクセスポイントモードのスマートデバイスとの無線接続を構築する。
【００９８】
例えば、携帯電話は、アクセスポイントモードで動作するスマートカメラとの無線接続を構築する。
【００９９】
ステップＳ４６において、スマートデバイスに暗号化された後のルーティング情報を送信する。このようにして、スマートデバイスが、ルーティング情報に基づいてルータと接続を構築するようにする。
【０１００】
例えば、携帯電話は、スマートカメラに暗号化された後のルータのユーザ名及びパスワードを送信し、スマートカメラは、端末デバイスとして、ルータに復号化された後のルータのユーザ名及びパスワードを送信し、ルータは、スマートカメラが送信したルータのユーザ名及びパスワードに基づいて、スマートカメラの無線接続を構築しようとする要請を許可するか否かを特定する。ルータは、スマートカメラが送信したルータのユーザ名及びパスワードが正しいと、スマートカメラとの無線接続を構築する。
【０１０１】
本発明の実施例は、ルーティング情報転送方法を提供する。スマートデバイスがブロードキャストしたデバイス識別子に基づいて、スマートデバイスに対応される秘密鍵を取得して、スマートデバイスにルーティング情報を送信する前に秘密鍵に基づいてルーティング情報を暗号化し、アクセスポイントモードのスマートデバイスと無線接続を構築して、ルーティング情報をスマートデバイスに送信して、スマートデバイスがルーティング情報に基づいてルータと無線接続を構築するようにする。このようにして、スマートデバイスに対してルータとの無線接続を構築する際に、ユーザによりその他のデバイスを利用してルーティング情報を手動的にスマートデバイスに入力する必要がなくなって、スマートデバイスに対してルータとの無線接続を構築する際のユーザの操作回数を減らした上で、スマートデバイスにより取得したルーティング情報を上記スマートデバイス自身のみが復号化できるようにして、ルーティング情報のセキュリティを保証して、スマートデバイスをルータに無線接続させる時のセキュリティを改善した。
【０１０２】
上記の実施例において、スマートデバイス側及びその他のデバイス側に対して、それぞれ、詳細に説明した。以下、実施例によって、スマートデバイス側及びその他のデバイス側で、同時に、本発明の実施例によって提供するルーティング情報転送方法を実施する過程に対して、説明する。
【０１０３】
図５に示したように、本発明の実施例は、ルーティング情報転送方法を提供する。上記方法は、スマートデバイス側及びその他のデバイス側に応用される。スマートデバイスは、スマートカメラであり、その他のデバイスは、携帯電話である。具体的なステップは、以下のとおりである。
【０１０４】
ステップＳ５１において、スマートデバイスにより、稼動された後にアクセスポイントモードで無線接続機能を起動させる。
【０１０５】
例えば、スマートカメラは、稼動された後に、受信ポイントモードで無線接続機能を起動させる。即ち、スマートカメラ自身を一つのルータとすると、その他のデバイスはスマートカメラを発見して無線接続を構築することができる。
【０１０６】
ステップＳ５２において、スマートデバイスにより、自身のデバイス識別子をブロードキャストする。
【０１０７】
例えば、スマートカメラは、自身のデバイス識別子Ｘ１をブロードキャストする。
【０１０８】
ステップＳ５３において、その他のデバイスにより、スマートデバイスがブロードキャストしたデバイス識別子を受信する。
【０１０９】
例えば、携帯電話は、スマートカメラがブロードキャストしたデバイス識別子Ｘ１を受信する。
【０１１０】
ステップＳ５４において、その他のデバイスにより、サーバにデバイス識別子を送信する。
【０１１１】
例えば、携帯電話は、受信したスマートカメラのデバイス識別子Ｘ１をサーバに送信する。
【０１１２】
ステップＳ５５において、その他のデバイスにより、サーバが送信したデバイス識別子に対応される秘密鍵を受信する。
【０１１３】
例えば、サーバによりスマートカメラのデバイス識別子Ｘ１に基づいて検索したスマートカメラのデバイス識別子Ｘ１に対応される秘密鍵を受信する。
【０１１４】
ステップＳ５６において、その他のデバイスにより、受信した秘密鍵に基づいて、サービスセット識別子及びパスワードを含むルーティング情報を暗号化して、暗号化された後のルーティング情報を得る。
【０１１５】
例えば、携帯電話は、受信したスマートカメラのデバイス識別子Ｘ１に対応される秘密鍵に基づいて、ルータのサービスセット識別子及びパスワードを暗号化して、暗号化された後のサービスセット識別子及びパスワードを得る。即ち、秘密鍵に基づいて携帯電話中に保存された全てのルータのユーザ名及びパスワードを、暗号化する。
【０１１６】
ステップＳ５７において、その他のデバイスにより、アクセスポイントモードのスマートデバイスとの無線接続を構築する。
【０１１７】
例えば、携帯電話は、アクセスポイントモードで動作するスマートカメラ無線接続を構築する。
【０１１８】
ステップＳ５８において、その他のデバイスにより、スマートデバイスに暗号化された後のルーティング情報を送信する。このようにして、スマートデバイスがルーティング情報に基づいてルータと接続を構築するようにする。
【０１１９】
例えば、携帯電話は、スマートカメラに暗号化された後のルータのユーザ名及びパスワードを送信する。
【０１２０】
ステップＳ５９において、スマートデバイスにより、無線接続を介してその他のデバイスが送信した暗号化された後のルーティング情報を受信する。ルーティング情報は、サービスセット識別子及びパスワードを含む。
【０１２１】
例えば、スマートカメラは、携帯電話と無線接続を構築する後、携帯電話が送信した暗号化された後のルータのサービスセット識別子及びパスワードを受信する。即ち、暗号化された後のユーザのユーザ名及びパスワードを受信する。
【０１２２】
ステップＳ５１０において、スマートデバイスにより、予め設定された秘密鍵に基づいて、受信した暗号化された後のルーティング情報を復号化して、復号化された後のルーティング情報を得る。
【０１２３】
例えば、スマートカメラは、出荷する前にスマートカメラ内に予め設定された秘密鍵に基づいて、受信した暗号化された後のルータのユーザ名及びパスワードを復号化して、復号化された後のルータのユーザ名及びパスワードを得る。
【０１２４】
ステップＳ５１１において、スマートデバイスにより、無線接続機能をアクセスポイントモードから端末モードに切り替える。
【０１２５】
例えば、スマートカメラは、復号化された後のルータのユーザ名及びパスワードを得た後に、現在の動作モードを受信ポイントモードから端末モードに切り替える。スマートカメラは、端末モードにおいて、端末デバイスとしてルータと無線接続を構築できる。
【０１２６】
ステップＳ５１２において、スマートデバイスにより、端末としてルータに復号化された後のルーティング情報を送信して、ルータとの接続を構築する。
【０１２７】
例えば、スマートカメラは、端末デバイスとしてルータに復号化された後のルータのユーザ名及びパスワードを送信し、ルータは、スマートカメラが送信した復号化された後のルータのユーザ名及びパスワードに基づいて、スマートカメラの無線接続を構築しようとする要請を許可するか否かを特定する。ルータは、スマートカメラが送信した復号化された後のルータのユーザ名及びパスワードが正しいと、スマートカメラとの無線接続を構築する。
【０１２８】
上記に、ルーティング情報転送方法を実現する過程を説明した。上記の過程は、移動端末及びコンピュータによって、実現される。以下、二つのデバイスの内部構成及び機能に対して、それぞれ、説明する。
【０１２９】
図６は、例示的な一実施例に係るルーティング情報転送装置を示すブロック図である。図６を参照すると、上記装置は、以下のモジュールを備える。 
起動モジュール６１は、稼動された後にアクセスポイントモードで無線接続機能を起動させる。
【０１３０】
構築モジュール６２は、アクセスポイントとしてその他のデバイスと無線接続を構築する。
【０１３１】
受信モジュール６３は、無線接続を介してその他のデバイスが送信したルーティング情報を受信する。
【０１３２】
切替モジュール６４は、無線接続機能をアクセスポイントモードから端末モードに切り替える。
【０１３３】
送信モジュール６５は、端末としてルータにルーティング情報を送信して、ルータとの接続を構築するようにする。
【０１３４】
図７に示したように、ルーティング情報は、暗号化された後のルーティング情報であり、上記装置は、復号化モジュール７１をさらに備える。
【０１３５】
復号化モジュール７１は、予め設定された秘密鍵に基づいて、受信したルーティング情報を復号化して、復号化された後のルーティング情報を得る。
【０１３６】
送信モジュール６５は、送信サブモジュール７２を備える。
【０１３７】
送信サブモジュール７２は、端末としてルータに復号化された後のルーティング情報を送信する。
【０１３８】
図８に示したように、上記装置は、ブロードキャストモジュール８１をさらに備える。
【０１３９】
ブロードキャストモジュール８１は、アクセスポイントとしてその他のデバイスと無線接続を構築する前に、自身のデバイス識別子をブロードキャストする。
【０１４０】
図９は、例示的な一実施例に係るルーティング情報転送装置を示すブロック図である。図９を参照すると、上記装置は、以下のモジュールを備える。 
構築モジュール９１は、アクセスポイントモードのスマートデバイスとの無線接続を構築する。
【０１４１】
第１送信モジュール９２は、スマートデバイスにルーティング情報を送信して、スマートデバイスがルーティング情報に基づいてルータと接続を構築する。
【０１４２】
図１０に示したように、上記装置は、以下のモジュールをさらに備える。
【０１４３】
第１受信モジュール１０１は、アクセスポイントモードのスマートデバイスとの無線接続を構築するステップの前に、スマートデバイスがブロードキャストしたデバイス識別子を受信する。
【０１４４】
第２送信モジュール１０２は、サーバにデバイス識別子を送信する。
【０１４５】
第２受信モジュール１０３は、サーバが送信したデバイス識別子に対応される秘密鍵を受信する。
【０１４６】
暗号化モジュール１０４は、受信した秘密鍵に基づいてルーティング情報を暗号化して、暗号化された後のルーティング情報を得る。
【０１４７】
第１送信モジュール９２は、送信サブモジュール１０５を備える。
【０１４８】
送信サブモジュール１０５は、スマートデバイスに暗号化された後のルーティング情報を送信する。
【０１４９】
上記の実施例の装置について、その各モジュールが実行する動作の具体的な形態は既に当該方法に関する実施例において詳細に説明したため、ここでは詳細に説明しない。
【０１５０】
図１１は、例示的な一実施例に係るルーティング情報転送装置１１００を示すブロック図である。例えば、装置１１００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１５１】
図１１を参照して、装置１１００は、プロセスアセンブリ１１０２、メモリ１１０４、電源アセンブリ１１０６、マルチメディアアセンブリ１１０８、オーディオアセンブリ１１１０、入出力（Ｉ／Ｏ）インターフェイス１１１２、センサアセンブリ１１１４、及び通信アセンブリ１１１６のような一つ以上のアセンブリを含んでよい。
【０１５２】
プロセスアセンブリ１１０２は、一般的には装置１１００の全体の動作を制御するものであり、例えば、表示、電話呼び出し、データ通信、カメラ動作、及び記録動作と関連する動作を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含み、これらによってプロセスアセンブリ１１０２と他のアセンブリの間のインタラクションを容易にするようにしてもよい。例えば、プロセスアセンブリ１１０２は、マルチメディアモジュールを含み、これらによってマルチメディアアセンブリ１１０８とプロセスアセンブリ１１０２の間のインタラクションを容易にするようにしてもよい。
【０１５３】
メモリ１１０４は、各種類のデータを記憶することにより装置１１００の動作を支援するように構成される。これらのデータの例は、装置１１００において動作するいずれのアプリケーションプログラム又は方法の命令、連絡対象データ、電話帳データ、メッセージ、画像、ビデオ等を含む。メモリ１１０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ（登録商標）、磁気ディスク、或いは光ディスクである。
【０１５４】
電源アセンブリ１１０６は、装置１１００の多様なアセンブリに電力を供給する。電源アセンブリ１１０６は、電源管理システム、一つ以上の電源、及び装置１１００のための電力の生成、管理及び割り当てに関連付けられている他のアセンブリを含んでもよい。
【０１５５】
マルチメディアアセンブリ１１０８は、前記装置１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１１０８は、一つのフロントカメラ、及び／又はリアカメラを含む。装置１１００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５６】
オーディオアセンブリ１１１０は、オーディオ信号を入出力するように構成されてもよい。例えば、オーディオアセンブリ１１１０は、一つのマイク（ＭＩＣ）を含み、装置１１００が、例えば呼出しモード、記録モード、及び音声認識モード等の動作モードにある場合、マイクは外部のオーディオ信号を受信することができる。受信されたオーディオ信号は、さらにメモリ１１０４に記憶されたり、通信アセンブリ１１１６を介して送信されたりされる。上記の実施例において、オーディオアセンブリ１１１０は、オーディオ信号を出力するための一つのスピーカーをさらに含む。
【０１５７】
Ｉ／Ｏインターフェイス１１１２は、プロセスアセンブリ１１０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１５８】
センサアセンブリ１１１４は、装置１１００に各種の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、例えば、センサアセンブリ１１１４は、装置１１００、或は装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ画像センサのような光センサを含んでもよい。上記の実施例において、当該センサアセンブリ１１１４は、加速度センサ、ジャイロスコープセンサ、磁気センサ、圧力センサ、及び温度センサをさらに含んでもよい。
【０１５９】
通信アセンブリ１１１６は、装置１１００と他の機器の間に有線、又は利便性のよい形態の通信を提供する。装置１１００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、前記通信アセンブリ１１１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１６０】
例示的な実施例において、装置１１００は、一つ以上のＡＳＩＣ（ＡｐｐｌｉｃａｔｉｏｎＳｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１６１】
例示的な実施例において、さらに、命令を含むコンピュータ読取り可能な非一時的な記録媒体、例えば命令を含むメモリ１１０４を提供しており、装置１１００のプロセッサ１１２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１６２】
一実施例のルーティング情報転送装置は、
プロセッサと、
上記プロセッサが実行可能な命令を記憶するためのメモリと、を備え、
上記プロセッサは、
稼動された後にアクセスポイントモードで無線接続機能を起動させ、
アクセスポイントとしてその他のデバイスと無線接続を構築し、
無線接続を介してその他のデバイスが送信したルーティング情報を受信し、
無線接続機能をアクセスポイントモードから端末モードに切り替え、
端末としてルータにルーティング情報を送信して、ルータとの接続を構築するようにする
ように構成される。
【０１６３】
ルーティング情報は、暗号化された後のルーティング情報であり、
上記プロセッサは、さらに、
予め設定された秘密鍵に基づいて、受信したルーティング情報を復号化して、復号化された後のルーティング情報を得るし、
端末としてルータにルーティング情報を送信する際には、
端末としてルータに復号化された後のルーティング情報を送信する
ように構成される。
【０１６４】
上記プロセッサは、さらに、
アクセスポイントとしてその他のデバイスと無線接続を構築する前に、自身のデバイス識別子をブロードキャストする
ように構成される。
【０１６５】
上記プロセッサは、さらに、
ルーティング情報は、サービスセット識別子及びパスワードを含む。
【０１６６】
もう一実施例のルーティング情報転送装置は、
プロセッサと、
上記プロセッサが実行可能な命令を記憶するためのメモリと、を備え、
上記プロセッサは、
アクセスポイントモードのスマートデバイスとの無線接続を構築し、
スマートデバイスにルーティング情報を送信して、スマートデバイスがルーティング情報に基づいてルータと接続を構築する
ように構成される。
【０１６７】
上記プロセッサは、さらに、
アクセスポイントモードのスマートデバイスとの無線接続を構築するステップの前に、スマートデバイスがブロードキャストしたデバイス識別子を受信し、
サーバにデバイス識別子を送信し、
サーバが送信したデバイス識別子に対応される秘密鍵を受信し、
受信した秘密鍵に基づいてルーティング情報を暗号化して、暗号化された後のルーティング情報を得るし、
スマートデバイスにルーティング情報を送信する際には、
スマートデバイスに暗号化された後のルーティング情報を送信する
ように構成される。
【０１６８】
上記プロセッサは、さらに、
ルーティング情報は、サービスセット識別子及びパスワードを含む。
【０１６９】
コンピュータ読取り可能な非一時的な記録媒体は、当該記録媒体中の命令が移動端末のプロセッサによって実行される際に、移動端末に、ルーティング情報転送方法を実行させる。
【０１７０】
上記方法は、
稼動された後にアクセスポイントモードで無線接続機能を起動させるステップと、
アクセスポイントとしてその他のデバイスと無線接続を構築するステップと、
無線接続を介してその他のデバイスが送信したルーティング情報を受信するステップと、
無線接続機能をアクセスポイントモードから端末モードに切り替えるステップと、
端末としてルータにルーティング情報を送信して、ルータとの接続を構築するようにするステップと、を含む。
【０１７１】
ルーティング情報は、暗号化された後のルーティング情報であり、
上記の方法は、
予め設定された秘密鍵に基づいて、受信したルーティング情報を復号化して、復号化された後のルーティング情報を得るステップを含み、
端末としてルータにルーティング情報を送信するステップは、
端末としてルータに復号化された後のルーティング情報を送信するステップを含む。
【０１７２】
上記の方法は、
アクセスポイントとしてその他のデバイスと無線接続を構築する前に、自身のデバイス識別子をブロードキャストするステップをさらに含む。
【０１７３】
上記の方法は、
ルーティング情報は、サービスセット識別子及びパスワードを含む。
【０１７４】
コンピュータ読取り可能な非一時的な記録媒体は、当該記録媒体中の命令が移動端末のプロセッサによって実行される際に、移動端末に、ルーティング情報転送方法を実行させる。
【０１７５】
上記の方法は、
アクセスポイントモードのスマートデバイスとの無線接続を構築するステップと、
スマートデバイスにルーティング情報を送信して、スマートデバイスがルーティング情報に基づいてルータと接続を構築するステップと、を含む。
【０１７６】
上記の記録媒体中の命令は、さらに、
上記の方法は、
アクセスポイントモードのスマートデバイスとの無線接続を構築するステップの前に、スマートデバイスがブロードキャストしたデバイス識別子を受信するステップと、
サーバにデバイス識別子を送信するステップと、
サーバが送信したデバイス識別子に対応される秘密鍵を受信するステップと、
受信した秘密鍵に基づいてルーティング情報を暗号化して、暗号化された後のルーティング情報を得るステップと、を含み、
スマートデバイスにルーティング情報を送信するステップは、
スマートデバイスに暗号化された後のルーティング情報を送信する。
【０１７７】
上記の方法は、
ルーティング情報は、サービスセット識別子及びパスワードを含む。
【０１７８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明に公開されていない当該技術分野の周知の知識又は通常の技術手段を含む。明細書と実施例はただ例示として考慮され、本発明の本当の範囲と趣旨は以下の特許請求の範囲に記載される。
【０１７９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。  
【図１】
2018509009.tif 000003
【図２】
2018509009.tif 000004
【図３】
2018509009.tif 000005
【図４】
2018509009.tif 000006
【図５】
2018509009.tif 000007
【図６】
2018509009.tif 000008
【図７】
2018509009.tif 000009
【図８】
2018509009.tif 000010
【図９】
2018509009.tif 000011
【図１０】
2018509009.tif 000012
【図１１】
2018509009.tif 000013
【手続補正書】
【提出日】平成28年10月25日(2016.10.25)
【手続補正２】
【補正対象書類名】明細書
【補正対象項目名】０００２
【補正方法】変更
【補正の内容】
【０００２】
本発明は、通信及びコンピュータ処理分野に関し、特に、ルーティング情報転送方法、装置、プログラム及び記録媒体に関する。
【手続補正３】
【補正対象書類名】明細書
【補正対象項目名】０００４
【補正方法】変更
【補正の内容】
【０００４】
本発明は、関連技術に存在する問題を解決するために、ルーティング情報転送方法、装置、プログラム及び記録媒体を提供する。
【手続補正４】
【補正対象書類名】明細書
【補正対象項目名】００３１
【補正方法】変更
【補正の内容】
【００３１】
上記装置は、
プロセッサと、
上記プロセッサが実行可能な命令を記憶するためのメモリと、を備え、
上記プロセッサは、
アクセスポイントモードのスマートデバイスとの無線接続を構築し、
上記スマートデバイスにルーティング情報を送信して、上記スマートデバイスが上記ルーティング情報に基づいてルータと接続を構築するようにする
ように構成される。
本発明の実施例の第７の態様によると、プログラムを提供し、当該プログラムは、プロセッサに実行されることにより、上記のルーティング情報転送方法を実現する。
本発明の実施例の第８の態様によると、記録媒体を提供し、当該記録媒体には、上記プログラムが記録されている。
【手続補正５】
【補正対象書類名】特許請求の範囲
【補正対象項目名】全文
【補正方法】変更
【補正の内容】
【特許請求の範囲】
【請求項１】
稼動された後にアクセスポイントモードで無線接続機能を起動させるステップと、
アクセスポイントとしてその他のデバイスと無線接続を構築するステップと、
無線接続を介して上記その他のデバイスが送信したルーティング情報を受信するステップと、
無線接続機能をアクセスポイントモードから端末モードに切り替えるステップと、
端末としてルータにルーティング情報を送信して、上記ルータと接続を構築するステップと、を含むことを特徴とするルーティング情報転送方法。
【請求項２】
上記ルーティング情報は、暗号化された後のルーティング情報であり、
上記方法は、
予め設定された秘密鍵に基づいて、受信した上記ルーティング情報を復号化して、復号化された後のルーティング情報を得るステップをさらに含み、
上記端末としてルータにルーティング情報を送信するステップは、
端末としてルータに復号化された後のルーティング情報を送信するステップを含むことを特徴とする請求項１に記載のルーティング情報転送方法。
【請求項３】
アクセスポイントとしてその他のデバイスと無線接続を構築する前に、自身のデバイス識別子をブロードキャストするステップをさらに含むことを特徴とする請求項１に記載のルーティング情報転送方法。
【請求項４】
上記ルーティング情報は、サービスセット識別子及びパスワードを含むことを特徴とする請求項１に記載のルーティング情報転送方法。
【請求項５】
アクセスポイントモードのスマートデバイスとの無線接続を構築するステップと、
上記スマートデバイスにルーティング情報を送信して、上記スマートデバイスが上記ルーティング情報に基づいてルータと接続を構築するようにするステップと、を含むことを特徴とするルーティング情報転送方法。
【請求項６】
アクセスポイントモードのスマートデバイスとの無線接続を構築するステップの前に、上記スマートデバイスがブロードキャストしたデバイス識別子を受信するステップと、
サーバに上記デバイス識別子を送信するステップと、
サーバが送信した上記デバイス識別子に対応される秘密鍵を受信するステップと、
受信した上記秘密鍵に基づいてルーティング情報を暗号化して、暗号化された後のルーティング情報を得るステップと、をさらに含み、
上記スマートデバイスにルーティング情報を送信するステップは、
上記スマートデバイスに暗号化された後のルーティング情報を送信するステップを含むことを特徴とする請求項５に記載のルーティング情報転送方法。
【請求項７】
上記ルーティング情報は、サービスセット識別子及びパスワードを含むことを特徴とする請求項５に記載のルーティング情報転送方法。
【請求項８】
稼動された後にアクセスポイントモードで無線接続機能を起動させる起動モジュールと、
アクセスポイントとしてその他のデバイスと無線接続を構築する構築モジュールと、
無線接続を介して上記その他のデバイスが送信したルーティング情報を受信する受信モジュールと、
無線接続機能をアクセスポイントモードから端末モードに切り替える切替モジュールと、
端末としてルータにルーティング情報を送信して、上記ルータと接続を構築する送信モジュールと、を備えることを特徴とするルーティング情報転送装置。
【請求項９】
上記ルーティング情報は、暗号化された後のルーティング情報であり、
上記装置は、
予め設定された秘密鍵に基づいて、受信した上記ルーティング情報を復号化して、復号化された後のルーティング情報を得る復号化モジュールをさらに備え、
上記送信モジュールは、
端末としてルータに復号化された後のルーティング情報を送信する送信サブモジュールを備えることを特徴とする請求項８に記載のルーティング情報転送装置。
【請求項１０】
アクセスポイントとしてその他のデバイスと無線接続を構築する前に、自身のデバイス識別子をブロードキャストするブロードキャストモジュールをさらに備えることを特徴とする請求項８に記載のルーティング情報転送装置。
【請求項１１】
アクセスポイントモードのスマートデバイスとの無線接続を構築する構築モジュールと、
上記スマートデバイスにルーティング情報を送信して、上記スマートデバイスが上記ルーティング情報に基づいてルータと接続を構築するようにする第１送信モジュールと、を備えることを特徴とするルーティング情報転送装置。
【請求項１２】
アクセスポイントモードのスマートデバイスとの無線接続を構築する前に、上記スマートデバイスがブロードキャストしたデバイス識別子を受信する第１受信モジュールと、
サーバに上記デバイス識別子を送信する第２送信モジュールと、
サーバが送信した上記デバイス識別子に対応される秘密鍵を受信する第２受信モジュールと、
受信した上記秘密鍵に基づいてルーティング情報を暗号化して、暗号化された後のルーティング情報を得る暗号化モジュールと、をさらに備え、
上記第１送信モジュールは、
上記スマートデバイスに暗号化された後のルーティング情報を送信する送信サブモジュールを備えることを特徴とする請求項１１に記載のルーティング情報転送装置。
【請求項１３】
プロセッサと、
上記プロセッサが実行可能な命令を記憶するためのメモリと、を備え、
上記プロセッサは、
稼動された後にアクセスポイントモードで無線接続機能を起動させ、
アクセスポイントとしてその他のデバイスと無線接続を構築し、
無線接続を介して上記その他のデバイスが送信したルーティング情報を受信し、
無線接続機能をアクセスポイントモードから端末モードに切り替え、
端末としてルータにルーティング情報を送信して、上記ルータと接続を構築する
ように構成されることを特徴とするルーティング情報転送装置。
【請求項１４】
プロセッサと、
上記プロセッサが実行可能な命令を記憶するためのメモリと、を備え、
上記プロセッサは、
アクセスポイントモードのスマートデバイスとの無線接続を構築し、
上記スマートデバイスにルーティング情報を送信して、上記スマートデバイスが上記ルーティング情報に基づいてルータと接続を構築するようにする
ように構成されることを特徴とするルーティング情報転送装置。
【請求項１５】
プロセッサに実行されることにより、請求項１から請求項６のいずれか１項に記載のルーティング情報転送方法を実現することを特徴とするプログラム。
【請求項１６】
請求項１５に記載のプログラムが記録された記録媒体。
【国際調査報告】
2018509009.tif 000014
2018509009.tif 000015
2018509009.tif 000016
2018509009.tif 000017